(57)【要約】【課題】所定角度開いたパネルに、所定の力が掛かった場合に、パネルが破損せず、通常の使用状態に戻す手間を低減することができる空気調和装置を提供することを目的としている。【解決手段】第１の側面１Ａに開口５を備えた本体ケース１と、本体ケース１内に設けた空気調和部と、開口５を覆うパネル３と、本体ケース１にパネル３を回動自在に支持する第１の回動支持部１８とを備えている。本体ケースに着脱自在なストッパー２３を設け、ストッパー２３は、パネル３の開度を制限し、パネル３の開度を制限した状態でパネル３に所定の力が掛かると本体ケース１からストッパー２３が外れ、パネル３が回動することを特徴とする空気調和装置。【選択図】図２
2018035958.tif 000002
【特許請求の範囲】
【請求項１】
第１の側面に開口を備えた本体ケースと、
前記本体ケース内に設けた空気調和部と、
前記開口を覆うパネルと、
前記本体ケースに前記パネルを回動自在に支持する第１の回動支持部とを備え、
前記本体ケースに着脱自在なストッパーを設け、
前記ストッパーは、
前記パネルの開度を制限し、前記パネルの開度を制限した状態で前記パネルに所定の力が掛かると前記本体ケースから前記ストッパーが外れ、前記パネルが回動することを特徴とする空気調和装置。
【請求項２】
前記ストッパーは、
前記パネルに前記ストッパーを左右方向に回動自在に支持する第２の回動支持部と、
前記本体ケースに着脱自在な着脱部と、
前記パネルと接触し前記パネルの開度を制限する接触部とを有することを特徴とする請求項１に記載の空気調和装置。
【請求項３】
前記ストッパーは、
前記第２の回動支持部と前記着脱部との間に前記接触部を有することを特徴とする請求項２に記載の空気調和装置。
【請求項４】
前記パネルは、
前記開口に対向した面部と、
前記面部の端部から前記本体ケース側へ延びた枠部とを備え、
前記枠部に前記第２の回動支持部を設け、
前記パネルの開度を制限するときに前記接触部と前記枠部とが接触することを特徴とする請求項２または３に記載の空気調和装置。
【請求項５】
前記パネルが閉じたときには、
前記枠部は、
前記第１の側面と隣接した第２の側面と同一面となることを特徴とする請求項４に記載の空気調和装置。
【請求項６】
前記着脱部は、
前記ストッパーに固定した第１の磁石と、
前記本体ケースに固定した第２の磁石とを備えたことを特徴とする請求項２から５のいずれかに記載の空気調和装置。
【発明の詳細な説明】
【技術分野】
【０００１】
本発明は、本体ケース側面にメンテナンス用の開口を有し、開口には開閉するパネルを備えた空気調和装置に関するものである。
【背景技術】
【０００２】
従来、この種の空気調和装置の一例として、本体ケース前面にメンテナンス用の開口を有し、開口には前後方向に開閉するパネルを備えた空気調和装置が知られている。（例えば、特許文献１参照）。
【０００３】
この空気調和装置は、本体ケース内に加湿部を備えている。加湿部は、水を貯水するトレイ部分と、トレイ部分に水を供給するタンク部分と、トレイ部分内の水に一部が浸漬したフィルター部分とを備えている。タンク部分の水が無くなると、本体ケース前面のパネルを所定角度開け、本体ケース内からタンク部分を取り出し、タンク部分に水を入れ、再び水の入ったタンク部分を本体ケース内に装着する。本体ケース内に装着するときに、誤って水の入ったタンク部分がパネルに当っても、パネルが破損しないように、本体ケースからパネルが外れる構成となっている。
【先行技術文献】
【特許文献】
【０００４】
【特許文献１】特開２０１１−０３３２９２号公報
【発明の概要】
【発明が解決しようとする課題】
【０００５】
このような従来の空気調和装置においては、水の入ったタンク部分を本体ケース内に装着するときに、誤って水の入ったタンク部分をパネルに当てても、パネルが破損しないように、本体ケースからパネルが外れる構成となっている。パネルが外れると、通常の使用状態に戻すためには、再びパネルを本体ケースに装着する手間が発生する。
【０００６】
そこで、本発明は上記課題を解決するものであり、所定角度開いたパネルに、所定の力が掛かった場合に、パネルが破損せず、通常の使用状態に戻す手間を低減することができる空気調和装置を提供することを目的としている。
【課題を解決するための手段】
【０００７】
そして、この目的を達成するために、本発明は、第１の側面に開口を備えた本体ケースと、前記本体ケース内に設けた空気調和部と、前記開口を覆うパネルと、前記本体ケースに前記パネルを回動自在に支持する第１の回動支持部とを備え、前記本体ケースに着脱自在なストッパーを設け、前記ストッパーは、前記パネルの開度を制限し、前記パネルの開度を制限した状態で前記パネルに所定の力が掛かると前記本体ケースから前記ストッパーが外れ、前記パネルが回動することを特徴としたものであり、これにより所期の目的を達成するものである。
【発明の効果】
【０００８】
本発明によれば、第１の側面に開口を備えた本体ケースと、前記本体ケース内に設けた空気調和部と、前記開口を覆うパネルと、前記本体ケースに前記パネルを回動自在に支持する第１の回動支持部とを備え、前記本体ケースに着脱自在なストッパーを設け、前記ストッパーは、前記パネルの開度を制限し、前記パネルの開度を制限した状態で前記パネルに所定の力が掛かると前記本体ケースから前記ストッパーが外れ、前記パネルが回動するので、パネルが破損せず、ストッパーのみ外れることで、通常の使用状態に戻す手間を低減することができる。
【図面の簡単な説明】
【０００９】
【図１】本発明の実施の形態１の空気調和装置の斜視図
【図２】同空気調和装置の斜視図
【図３】同空気調和装置の断面図
【図４】同空気調和装置の本体ケースとパネルの上部とを示す斜視図
【図５】同空気調和装置の本体ケースとパネルの下部とを示す斜視図
【図６】同空気調和装置のパネルと本体ケースとに設けたストッパーを示す斜視図
【図７】同空気調和装置のパネルと本体ケースとに設けたストッパーを示す断面図
【図８】同空気調和装置のパネルと本体ケースとに設けたストッパーを示す断面図
【発明を実施するための形態】
【００１０】
以下、本発明の実施形態について図面を参照しながら説明する。
（実施の形態１）
図１は、本発明の実施の形態１の空気調和装置の斜視図であり、空気調和装置を前面側から見た図である。図２は、本発明の実施の形態１の空気調和装置の斜視図であり、パネルを開いて空気調和装置を前面側から見た図である。
【００１１】
図１、２に示すように、本実施形態の空気調和装置においては、略箱形状の本体ケース１を備え、本体ケース１の両側面には略四角形状の吸気口２を有している。本体ケース１は、床等の水平面に置かれる。本体ケース１の一方側の側面である第１の側面１Ａには、縦長四角形状の開口５を備えている。第１の側面１Ａは、本体ケース１の前面側から見て、右側の側面である。本体ケース１の開口５には開閉可能なパネル３を備え、パネル３を開くと開口５から後述する本体ケース１内の加湿部７を取り出すことが出来る。本体ケース１の一方側の側面の吸気口２は、パネル３に設けられている。本体ケース１の天面には、開閉式の吹出口４を備えている。図１、２では、吹出口４は、閉じた状態である。
【００１２】
図３は、本発明の実施の形態１の空気調和装置の断面図であり、空気調和装置を右側から見た図である。
【００１３】
図２、図３に示すように、本体ケース１内には、送風機６と、空気調和部である加湿部７、風路８とを備えている。
【００１４】
送風機６は、本体ケース１の中央部に設けられ、モータ部９と、モータ部９により回転するファン部１０と、それらを囲むケーシング部１１とを備えている。
【００１５】
ファン部１０は、シロッコファンで、モータ部９から水平方向に延びたモータ軸（図示せず）に固定され、モータ部９は、ケーシング部１１に固定されている。ケーシング部１１は、ケーシング部１１の本体ケース１における上面側に吐出口１２を備え、ケーシング部１１の本体ケース１における背面側に吸込口１３を有している。
【００１６】
加湿部７は、水を貯水するトレイ部分１４と、トレイ部分１４に水を供給するタンク部分１５と、トレイ部分１４内の水に一部が浸漬したフィルター部分１６とを備えている。トレイ部分１４とフィルター部分１６は、送風機６より下方に配置されている。
【００１７】
トレイ部分１４は、天面を開口した箱形状をしており、水を貯水できる構造となっており、本体ケース１の下部に配置され、本体ケース１から水平方向にスライドして着脱可能となっている。
【００１８】
タンク部分１５は、本体ケース１内部の一方側の側面に設置され、トレイ部分１４から着脱可能な構造となっている。
【００１９】
フィルター部分１６は、トレイ部分１４に貯水された水と、送風機６によって本体ケース１内に吸込まれた室内空気とを接触させる部材である。円筒状に構成され、円周部分に空気が流通可能な孔を備えたフィルター１７を配置し、その一端がトレイ部分１４の水に浸漬するように、フィルター１７の中心軸を回転中心としてトレイ部分１４に回転自在に内蔵されている。そして、駆動部（図示しない）による回転され、水と室内空気を連続的に接触させる構造となっている。
【００２０】
風路８は、吸気口２と吹出口４とを連通し、この風路８には、吸気口２から順に、加湿部７（トレイ部分１４、フィルター部分１６）、送風機６、吹出口４とを備えている。モータ部９によってファン部１０が回転すると、吸気口２から風路８内に入った外部の空気は、順に、加湿部７であるフィルター１７、送風機６、吹出口４を介して、吹き出される。
【００２１】
図４は、本発明の実施の形態１の空気調和装置の本体ケースとパネルの上部とを示す斜視図である。図５は、本発明の実施の形態１の空気調和装置の本体ケースとパネルの下部とを示す斜視図である。
【００２２】
図２、４、５に示すように、開口５を覆うパネル３は、左右方向に回動自在に支持する複数の第１の回動支持部１８によって、本体ケース１に回動自在に設けられている。第１の回動支持部１８は、パネル３の上部と下部に設けられている。
【００２３】
パネル３の上部に設けられた第１の回動支持部１８は、パネル３の上部から上方へ突出した円柱形状の第１の上軸部分１９と、本体ケース１に固定された第１の上軸受部分２０とを備えている。第１の上軸部分１９は、第１の上軸受部分２０に回動自在に嵌る構成である。
【００２４】
パネル３の下部に設けられた第１の回動支持部１８は、パネル３の下部から下方へ突出した円柱形状の第１の下軸部分２１と、本体ケースに固定された第１の下軸受部分２２とを備えている。第１の下軸部分２１は、第１の下軸受部分２２に回動自在に嵌る構成である。複数の第１の回動支持部１８の回動軸は、同軸上に位置している。
【００２５】
図６は、本発明の実施の形態１の空気調和装置のパネルと本体ケースとに設けたストッパーを示す斜視図である。
【００２６】
図２、図６に示すように、本実施形態における特徴は、本体ケース１に着脱自在なストッパー２３を設けた点である。パネル３の上部と下部に設けた複数の第１の回動支持部１８との間には、ストッパー２３を設けている。ストッパー２３は、パネル３の開度を制限し、パネル３の開度を制限した状態でパネル３に所定の力が掛かると本体ケース１からストッパー２３が外れ、パネル３が回動することを特徴とする。
【００２７】
ストッパー２３がパネル３の開度を制限した状態でパネル３に所定の力が掛かると、本体ケース１からストッパー２３が外れ、パネル３は更に開くので、パネル３が破損することを抑制でき、本体ケース１が倒れることも抑制できる。また、パネル３は外れないで、ストッパー２３のみ外れるので、ストッパー２３を装着するだけで通常の状態にもどり、パネル３を装着する手間を低減することができる。なお、ストッパー２３は、パネル３より小さい部品である。
【００２８】
図７は、本発明の実施の形態１の空気調和装置のパネルと本体ケースとに設けたストッパーを示す断面図である。パネルは閉じた状態である。  図８は、本発明の実施の形態１の空気調和装置のパネルと本体ケースとに設けたストッパーを示す断面図である。パネルは開き、パネルが接触部に当たった状態である。
【００２９】
図６、図７、図８に示すように、ストッパー２３は、第２の回動支持部２４と着脱部２５と接触部２６とを備えている。第２の回動支持部２４は、ストッパー２３をパネルに左右方向へ回動自在に支持する。着脱部２５は、本体ケース１にストッパー２３を着脱自在に装着する。接触部２６は、パネル３を開くと所定の角度でパネル３と接触し、パネル３の開度を制限する。第１の回動支持部１８と第２の回動支持部２４の回動軸は、同軸上に位置する。
【００３０】
これにより、パネル３を開くと、複数の第１の回動支持部１８、第２の回動支持部２４で回動しながら開き、ストッパー２３によってパネル３の開度が制限される角度まで開く。このストッパー２３が、パネル３の開度を制限した状態で、パネル３にパネル３が開く方向へ所定の力が掛かると、パネル３が接触部２６を押し、着脱部２５が本体ケース１から外れるので、パネル３は更に開く方向へ回動する。
【００３１】
具体的には、ストッパー２３は、本体ケース１の背面の内面から、パネル３の内面へ延びるＬ字形状の樹脂片である。ストッパー２３は、一方側端部に第２の回動支持部２４を備え、他方側端部に着脱部２５を備えている。ストッパー２３は、第２の回動支持部２４と着脱部２５との間に接触部２６を有する。これにより、パネル３が開くと、パネル３の端部がストッパー２３の接触部２６に接触する。
【００３２】
第２の回動支持部２４は、ストッパー２３の一方側端部における上部から上方へ突出した円柱形状の第２の上軸部分２７と、ストッパー２３の一方側端部における下部から下方へ突出した円柱形状の第２の下軸部分２８とを有している。第２の上軸部分２７はパネル３の第２の上軸受部分２９に嵌り、第２の下軸部分２８はパネルの第２の下軸受部分３０に嵌り、ストッパー２３がパネル３に回動自在に保持される。
【００３３】
パネル３は、開口５に対向した面部３１と、面部３１の端部から本体ケース側へ延びた枠部３２とを備え、樹脂材料で一体成型されている。本体ケース１における背面側端部から延びた枠部３２の内面に第２の回動支持部２４を設けており、パネル３の開度を制限するときに接触部２６と枠部３２とが接触する。なお、ストッパー２３は、第２の回動支持部２４と着脱部２５との間に、９０度曲がった折曲部３５を有している。ストッパー２３の折曲部３５と第２の回動支持部２４との間に、接触部を有している。
【００３４】
また、パネル３が閉じたときには、第２の回動支持部２４を備えた枠部３２は、第１の側面１Ａと隣接した第２の側面１Ｂと同一面となる。第１の側面１Ａと隣接した第２の側面１Ｂとは、本体ケース１における背面となる。パネル３は、面部３１と枠部３２とが樹脂材料で一体成型されているので、枠部３２にそりが発生する場合がある。仮に、枠部３２にそりが発生しても、本体ケース１における背面側端部から延びた枠部３２には、ストッパー２３の第２の回動支持部２４を備えているので、枠部３２はストッパー２３によって、本体ケース１との距離を一定に保たれ、パネル３が閉じたときには、枠部３２は第１の側面１Ａと隣接した第２の側面１Ｂと同一面となる。
【００３５】
また、着脱部２５は、ストッパー２３に固定した第１の磁石３３と、本体ケース１に固定した第２の磁石３４とを備えている。ストッパー２３は、磁力によって本体ケース１に固定した第２の磁石３４に、ストッパー２３に固定した第１の磁石３３がひっつく。パネル３を開くと、複数の第１の回動支持部１８、第２の回動支持部２４で回動しながら開き、ストッパー２３によってパネル３の開度が制限される角度まで開く。このストッパー２３が、パネル３の開度を制限した状態で、パネル３にパネル３が開く方向へ所定の力が掛かると、パネル３が接触部２６を押し、本体ケース１に固定した第２の磁石３４から、ストッパー２３に固定した第１の磁石３３が外れるので、パネル３は更に開く方向へ回動する。ストッパー２３は、他方側端部の着脱部が外れても、一方側端部の第２の回動支持部２４によってパネル３にぶら下がっている。ストッパー２３の第１の磁石３３を本体ケース１に固定した第２の磁石３４に装着するだけで通常の状態にもどり、手間を低減することができる。
【産業上の利用可能性】
【００３６】
本発明は、本体ケース側面にメンテナンス用の開口を有し、開口には開閉するパネルを備えた空気調和装置として適している。
【符号の説明】
【００３７】
１    本体ケース
１Ａ    第１の側面
１Ｂ    第２の側面
２    吸気口
３    パネル
４    吹出口
５    開口
６    送風機
７    加湿部
８    風路
９    モータ部
１０    ファン部
１１    ケーシング部
１２    吐出口
１３    吸込口
１４    トレイ部分
１５    タンク部分
１６    フィルター部分
１７    フィルター
１８    第１の回動支持部
１９    第１の上軸部分
２０    第１の上軸受部分
２１    第１の下軸部分
２２    第１の下軸受部分
２３    ストッパー
２４    第２の回動支持部
２５    着脱部
２６    接触部
２７    第２の上軸部分
２８    第２の下軸部分
２９    第２の上軸受部分
３０    第２の下軸受部分
３１    面部
３２    枠部
３３    第１の磁石
３４    第２の磁石
３５    折曲部
【図１】
2018035958.tif 000003
【図２】
2018035958.tif 000004
【図３】
2018035958.tif 000005
【図４】
2018035958.tif 000006
【図５】
2018035958.tif 000007
【図６】
2018035958.tif 000008
【図７】
2018035958.tif 000009
【図８】
2018035958.tif 000010